(57)【要約】【目的】  本発明の目的は、折り畳み易く、可搬性に優れ且つ延長脚を取り付けたとしても大型化を抑止することができる折り畳み支持脚を提供する。【構成】  桟部１００ａ、１００ｂの一端部、他端部に回動自在に設けられた脚部２００ａ〜２００ｄと、前記一端部、他端部の内側面に回転自在に設けられた回転部材５００ａ〜５００ｄと、Ｘ字状に開閉自在に連結された補強フレーム４００ａ〜４００ｄを備える。フレーム４００ａの上端部が回転部材５００ａに、下端部が脚部２００ｂに回動自在に取り付けられる、フレーム４００ｂの上端部が回転部材５００ｂに、下端部が脚部２００ａに回動自在に取り付けられる。フレーム４００ｃの上端部が回転部材５００ｃに、下端部が脚部２００ｄに回動自在に取り付けられる。フレーム４００ｄの上端部が回転部材５００ｄに、下端部が脚部２００ｃに回動自在に設けられる。【選択図】      図１
2011041713.tif 000002
【特許請求の範囲】
【請求項１】
略平行に間隔を空けて配置された第１、第２の桟部と、
前記第１、第２の桟部の長さ方向の一端部に該第１、第２の桟部に沿う折り畳み位置から該第１、第２の桟部に対して起立する起立位置にかけて回動自在に設けられた第１、第２の脚部と、
前記第１、第２の桟部の長さ方向の他端部に該第１、第２の桟部に沿う折り畳み位置から該第１、第２の桟部に対して起立する起立位置にかけて回動自在に設けられた第３、第４の脚部と、
前記第１、第２の桟部の一端部の内側面に回転自在に設けられた第１、第２の回転部材と、
前記第１、第２の桟部の他端部の内側面に回転自在に設けられた第３、第４の回転部材と、
Ｘ字状に開閉自在に連結された第１、第２の補強フレームと、
Ｘ字状に開閉自在に連結された第３、第４の補強フレームとを備えており、
前記第１の補強フレームの上端部が前記第１の回転部材に、該第１の補強フレームの下端部が前記第２の脚部に各々回動自在に取り付けられており、
前記第２の補強フレームの上端部が前記第２の回転部材に、該第２の補強フレームの下端部が前記第１の脚部に各々回動自在に取り付けられており、
前記第３の補強フレームの上端部が前記第３の回転部材に、該第３の補強フレームの下端部が前記第４の脚部に各々回動自在に取り付けられており、
前記第４の補強フレームの上端部が前記第４の回転部材に、該第４の補強フレームの下端部が前記第３の脚部に各々回動自在に設けられていることを特徴とする折り畳み支持脚。
【請求項２】
略平行に間隔を空けて配置された第１、第２の桟部と、
前記第１、第２の桟部の長さ方向の一端部に該第１、第２の桟部に沿う折り畳み位置から該第１、第２の桟部に対して起立する起立位置にかけて回動自在に取り付けられた第１、第２の脚部と、
前記第１、第２の桟部の長さ方向の他端部に該第１、第２の桟部に沿う折り畳み位置から該第１、第２の桟部に対して起立する起立位置にかけて回動自在に取り付けられた第３、第４の脚部と、
Ｘ字状に開閉自在に連結された第１、第２の補強フレームと、
Ｘ字状に開閉自在に連結された第３、第４の補強フレームとを備えており、
前記第１の補強フレームの上端部が前記第１の脚部の上端部に、該第１の補強フレームの下端部が前記第２の脚部の下端部に各々回動自在に取り付けられており、
前記第２の補強フレームの上端部が前記第２の脚部の上端部に、該第２の補強フレームの下端部が前記第１の脚部の下端部に各々回動自在に取り付けられており、
前記第３の補強フレームの上端部が前記第３の脚部の上端部に、該第３の補強フレームの下端部が前記第４の脚部の下端部に各々回動自在に取り付けられており、
前記第４の補強フレームの上端部が前記第４の脚部の上端部に、該第４の補強フレームの下端部が前記第３の脚部の下端部に各々回動自在に設けられていることを特徴とする折り畳み支持脚。
【請求項３】
請求項１又は２記載の折り畳み支持脚において、
中間部で二つ折り可能な第１、第２の連結部材を更に備えており、
前記第１の連結部材の長さ方向の一端部が前記第１の桟部の一端部上に、該第１の連結部材の長さ方向の他端部が前記第２の桟部の一端部上に各々回転自在に取り付けられており、
前記第２の連結部材の長さ方向の一端部が前記第１の桟部の他端部上に、該第２の連結部材の長さ方向の他端部が前記第２の桟部の他端部上に各々回転自在に取り付けられていることを特徴とする折り畳み支持脚。
【請求項４】
請求項１、２又は３記載の折り畳み支持脚において、
前記第１、第２の脚部は、第１、第２の桟部の一端部に回動自在に取り付けられた略Ｌ字状の回動部と、この回動部に設けられた脚部本体とを有しており、
前記第３、第４の脚部は、第１、第２の桟部の他端部に回動自在に取り付けられた略Ｌ字状の回動部と、この回動部に設けられた脚部本体とを有しており、
前記第１、第２の脚部の回動部の第１、第２の桟部側の直線部の長さ寸法が、前記第３、第４の脚部の回動部の第１、第２の桟部側の直線部の長さ寸法よりも大きくなっていることを特徴とする折り畳み支持脚。
【請求項５】
請求項１、２、３又は４記載の折り畳み支持脚において、
前記第１、第２の脚部内に出入り可能に設けられた第１、第２の延長脚と、
前記第３、第４の脚部内に出入り可能に設けられた第３、第４の延長脚とを更に備えていることを特徴とする折り畳み支持脚。
【請求項６】
請求項１、２、３又は４記載の折り畳み支持脚において、
前記第１、第２の脚部に着脱自在に取り付けられた第１、第２の延長脚と、
前記第３、第４の脚部に着脱自在に取り付けられた第３、第４の延長脚とを更に備えていることを特徴とする折り畳み支持脚。
【請求項７】
請求項１又は２記載の折り畳み支持脚と、
天板と、
この天板を前記折り畳み支持脚の第１、第２の桟部に係止する係止手段とを備えていることを特徴とするテーブル。  
【請求項８】
請求項３又は４記載の折り畳み支持脚と、
天板と、
この天板を前記折り畳み支持脚の第１、第２の連結部材に係止する係止手段とを備えていることを特徴とするテーブル。  
【請求項９】
請求項７又は８記載のテーブルにおいて、
前記天板は、幅方向に連結され且つ蛇腹折り可能な複数の板体を有していることを特徴とするテーブル。
【発明の詳細な説明】
【技術分野】
【０００１】
本発明は天板などを支持する折り畳み支持脚に関する。
【背景技術】
【０００２】
この種の折り畳み支持脚としては、略平行に間隔を空けて対向配置される一対のＸ字脚と、Ｘ字脚同士を連結する連結板と、Ｘ字脚の両上端部に懸架され、該Ｘ字脚の展開状態で維持する一対の桟部とを備えている（特許文献１参照）。
【先行技術文献】
【特許文献】
【０００３】
【特許文献１】実開昭６２-７０８２７号公報
【発明の概要】
【発明が解決しようとする課題】
【０００４】
前記折り畳み支持脚は、前記桟部をＸ字脚の両上端部から取り外さない限り、該折り畳み支持脚を折り畳むことができないことから、折り畳み難い。また、折り畳んだ状態で、Ｘ字脚と桟部とが別体となることから、可搬性が悪い。更に、前記折り畳み支持脚は、Ｘ字脚を採用していることから、該支持脚の高さを大きくするために、該Ｘ字脚に延長脚を取り付けると、該延長脚の間の間隔が大きくなり、本折り畳み支持脚が大型化してしまう。
【０００５】
本発明は、上記事情に鑑みて創案されたものであって、その目的とするところは、折り畳み易く、可搬性に優れ、且つ延長脚を取り付けたとしても大型化を抑止することができる折り畳み支持脚及びテーブルを提供することにある。
【課題を解決するための手段】
【０００６】
上記課題を解決するために、本発明の第１の折り畳み支持脚は、略平行に間隔を空けて配置された第１、第２の桟部と、前記第１、第２の桟部の長さ方向の一端部に該第１、第２の桟部に沿う折り畳み位置から該第１、第２の桟部に対して起立する起立位置にかけて回動自在に設けられた第１、第２の脚部と、前記第１、第２の桟部の長さ方向の他端部に該第１、第２の桟部に沿う折り畳み位置から該第１、第２の桟部に対して起立する起立位置にかけて回動自在に設けられた第３、第４の脚部と、前記第１、第２の桟部の一端部の内側面に回転自在に設けられた第１、第２の回転部材と、前記第１、第２の桟部の他端部の内側面に回転自在に設けられた第３、第４の回転部材と、Ｘ字状に開閉自在に連結された第１、第２の補強フレームと、Ｘ字状に開閉自在に連結された第３、第４の補強フレームとを備えている。前記第１の補強フレームの上端部が前記第１の回転部材に、該第１の補強フレームの下端部が前記第２の脚部に各々回動自在に取り付けられている。前記第２の補強フレームの上端部が前記第２の回転部材に、該第２の補強フレームの下端部が前記第１の脚部に各々回動自在に取り付けられている。前記第３の補強フレームの上端部が前記第３の回転部材に、該第３の補強フレームの下端部が前記第４の脚部に各々回動自在に取り付けられている。前記第４の補強フレームの上端部が前記第４の回転部材に、該第４の補強フレームの下端部が前記第３の脚部に各々回動自在に設けられている。
【０００７】
このような第１の折り畳み支持脚による場合、第１、第２の桟部を互いに近づけると、第１、第２の補強フレームが閉じると共に、第１、第２の回転部材が回転し、該第１、第２の補強フレームが傾斜する。これにより、第１、第２の脚部が起立位置から折り畳み位置にかけて回動する。同様に、第３、第４の補強フレームが閉じると共に、第３、第４の回転部材が回転し、該第３、第４の補強フレームが傾斜する。これにより、第３、第４の脚部が起立位置から折り畳み位置にかけて回動する。このように第１、第２の桟部を互いに近づけるだけで本支持脚を簡単に折り畳むことができる。また、別体となるパーツがないことから、本折り畳み支持脚は可搬性に優れている。しかも、起立位置から折り畳み位置にかけて回動する第１、第２、第３、第４の脚部を用いていることから、第１、第２、第３、第４の脚部に各々延長脚を取り付けたとしても、前記延長脚の間の間隔が極端に大きくなることがないので、本折り畳み支持脚の大型化を抑止することができる。
【０００８】
本発明の第２の折り畳み支持脚は、略平行に間隔を空けて配置された第１、第２の桟部と、前記第１、第２の桟部の長さ方向の一端部に該第１、第２の桟部に沿う折り畳み位置から該第１、第２の桟部に対して起立する起立位置にかけて回動自在に設けられた第１、第２の脚部と、前記第１、第２の桟部の長さ方向の他端部に該第１、第２の桟部に沿う折り畳み位置から該第１、第２の桟部に対して起立する起立位置にかけて回動自在に設けられた第３、第４の脚部と、Ｘ字状に開閉自在に連結された第１、第２の補強フレームと、Ｘ字状に開閉自在に連結された第３、第４の補強フレームとを備えている。前記第１の補強フレームの上端部が前記第１の脚部の上端部に、該第１の補強フレームの下端部が前記第２の脚部の下端部に各々回動自在に取り付けられている。前記第２の補強フレームの上端部が前記第２の脚部の上端部に、該第２の補強フレームの下端部が前記第１の脚部の下端部に各々回動自在に取り付けられている。前記第３の補強フレームの上端部が前記第３の脚部の上端部に、該第３の補強フレームの下端部が前記第４の脚部の下端部に各々回動自在に取り付けられている。前記第４の補強フレームの上端部が前記第４の脚部の上端部に、該第４の補強フレームの下端部が前記第３の脚部の下端部に各々回動自在に設けられている。
【０００９】
このような第２の折り畳み支持脚による場合、第１、第２の桟部を互いに近づけると、第１、第２の補強フレームが閉じると共に、第３、第４の補強フレームが閉じる。その後、第１、第２、第３及び第４の脚部を起立位置から折り畳み位置にかけて回動させるだけで、本支持脚を簡単に折り畳むことができる。また、別体となるパーツがないことから、本折り畳み支持脚は可搬性に優れている。しかも、起立位置から折り畳み位置にかけて回動する第１、第２、第３、第４の脚部を用いていることから、第１、第２、第３、第４の脚部に各々延長脚を取り付けたとしても、前記延長脚の間の間隔が極端に大きくなることがないので、本折り畳み支持脚の大型化を抑止することができる。
【００１０】
前記第１、第２の折り畳み支持脚は、中間部で二つ折り可能な第１、第２の連結部材を更に備えた構成とすることができる。前記第１の連結部材の長さ方向の一端部が前記第１の桟部の一端部上に、該第１の連結部材の長さ方向の他端部が前記第２の桟部の一端部上に各々回転自在に取り付けられている。前記第２の連結部材の長さ方向の一端部が前記第１の桟部の他端部上に、該第２の連結部材の長さ方向の他端部が前記第２の桟部の他端部上に各々回転自在に取り付けられている。この場合、第１、第２の桟部が第１、第２の連結部材で連結されているので、本折り畳み支持脚が展開状態で安定する。
【００１１】
前記第１、第２の脚部は、第１、第２の桟部の一端部に回動自在に取り付けられた略Ｌ字状の回動部と、この回動部に設けられた脚部本体とを有する構成とすることができる。前記第３、第４の脚部も、第１、第２の桟部の他端部に回動自在に取り付けられた略Ｌ字状の回動部と、この回動部に設けられた脚部本体とを有する構成とすることができる。前記第１、第２の脚部の回動部の第１、第２の桟部側の直線部の長さ寸法が、前記第３、第４の脚部の回動部の第１、第２の桟部側の直線部の長さ寸法よりも大きくなっている。この場合、前記第１、第２の脚部の回動部の第１、第２の桟部側の直線部の長さ寸法が、前記第３、第４の脚部の回動部の第１、第２の桟部側の直線部の長さ寸法よりも大きいため、折り畳み位置で第１、第２の脚部の脚部本体を第３、第４の脚部の脚部本体に重ねて配置することができる。よって、本支持脚は折り畳んだ状態でコンパクトにすることができる。
【００１２】
前記第１、第２の折り畳み支持脚は、前記第１、第２の脚部内に出入り可能に設けられた第１、第２の延長脚と、前記第３、第４の脚部内に出入り可能に設けられた第３、第４の延長脚とを更に備えた構成とすることができる。また、第１、第２の延長脚を前記第１、第２の脚部内に出入り可能とするのではなく、前記第１、第２の脚部に着脱自在に取り付けることも可能である。同様に、第３、第４の延長脚を前記第３、第４の脚部内に出入り可能とするのではなく、前記第３、第４の脚部に着脱自在に取り付けることが可能である。
【００１３】
本発明のテーブルは、上記折り畳み支持脚と、天板と、この天板を前記折り畳み支持脚の第１、第２の桟部又は第１、第２の連結部材に係止する係止手段とを備えている。
【００１４】
前記天板は幅方向に連結され且つ蛇腹折り可能な複数の板体を有する構成とすることができる。この場合、前記天板を蛇腹折りすることにより、小さく折り畳むことができる。よって、本テーブルの可搬性が向上する。
【図面の簡単な説明】
【００１５】
【図１】本発明の実施の形態に係るテーブルの概略的斜視図である。
【図２】（ａ）が前記テーブルの支持脚の概略的背面図、（ｂ）が前記テーブルの支持脚の概略的正面図である。
【図３】（ａ）が前記テーブルの支持脚の概略的右側面図、（ｂ）が前記テーブルの支持脚の概略的左側面図である。
【図４】前記テーブルの支持脚の折り畳んだ状態を示す概略的斜視図である。
【図５】前記テーブルの支持脚の第１の脚部及び延長脚の内部構造を示す模式図である。
【図６】前記テーブルの天板を示す概略図であって、（ａ）が底面図、（ｂ）が展開状態の側面図、（ｃ）が蛇腹折り状態の側面図である。
【図７】（ａ）が前記テーブルの第１係止部材を示す概略的正面図、（ｂ）が前記テーブルの第２係止部材を示す概略的正面図である。
【図８】前記支持脚の設計変更例を示す概略的側面図である。
【発明を実施するための形態】
【００１６】
以下、本発明の実施の形態に係るテーブルについて図１乃至図６を参照しつつ説明する。図１に示すテーブルは、折り畳み支持脚Ｌと、天板Ｔと、一対の第１、第２の係止部材Ｒ１、Ｒ２（係止手段の雌側）とを備えている。以下、詳しく説明する。
【００１７】
折り畳み支持脚Ｌは、図１乃至図３に示すように、第１、第２の桟部１００ａ、１００ｂと、第１、第２、第３、第４の脚部２００ａ、２００ｂ、２００ｃ、２００ｄと、第１、第２、第３、第４の延長脚３００ａ、３００ｂ、３００ｃ、３００ｄと、第１、第２、第３、第４の補強フレーム４００ａ、４００ｂ、４００ｃ、４００ｄと、第１、第２、第３、第４の回転部材５００ａ、５００ｂ、５００ｃ、５００ｄと、第１、第２、第３、第４の固定部材６００ａ、６００ｂ、６００ｃ、６００ｄと、第１、第２の連結部材７００ａ、７００ｂとを備えている。
【００１８】
第１、第２の桟部１００ａ、１００ｂは互いに平行に配置された角筒状のパイプである。なお、第１、第２の桟部１００ａ、１００ｂの互いに対向する面が内側面、対向しない面が外側面となっている。
【００１９】
第１、第２、第３、第４の脚部２００ａ、２００ｂ、２００ｃ、２００ｄは、略Ｌ字状の回動部２１０ａ、２１０ｂ、２１０ｃ、２１０ｄと、脚部本体２２０ａ、２２０ｂ、２１０ｃ、２１０ｄとを有している。脚部本体２２０ａは角筒状のパイプである。回動部２１０ａは、図２（ａ）に示すように、折り曲げ部分で上側直線部２１１ａ（桟部側の直線部）及び下側直線部２１２ａ区分けされる。下側直線部２１２ａは外形が脚部本体２２０ａよりも大きい角筒状をなしている。この下側直線部２１２ａ内に脚部本体２２０ａの上端部が挿入されビス止めされている。上側直線部２１１ａは、一対の片部材であって、その先端部が第１の桟部１００ａの長さ方向の一端部の内側面及び外側面にビス止めされ回動自在となっている。この上側直線部２１１ａが回動することにより、脚部本体２２０ａが、図１に示す第１の桟部１００ａに対して起立する起立位置から図４に示す第１の桟部１００ａに沿う折り畳み位置にかけて回動するようになっている。
【００２０】
回動部２１０ｃは、図２（ａ）に示すように、上側直線部２１１ｃ（桟部側の直線部）の長さ寸法α２が上側直線部２１１ａの長さ寸法α１よりも小さくなっており且つ該上側直線部２１１ｃが第１の桟部１００ａの長さ方向の他端部にビス止めされている以外、回動部２１０ａと同じ構成となっている。脚部本体２２０ｃは脚部本体２２０ａと同じものである。
【００２１】
回動部２１０ｂは、図２（ｂ）に示すように、上側直線部２１１ｂ（桟部側の直線部）が第２の桟部１００ｂの長さ方向の一端部にビス止めされている以外、回動部２１０ａと同じ構成となっている。脚部本体２２０ｂは脚部本体２２０ａと同じものである。また、回動部２１０ｄは、上側直線部２１１ｄ（桟部側の直線部）が第２の桟部１００ａの長さ方向の他端部にビス止めされている以外、回動部２１０ｃと同じ構成となっている。脚部本体２２０ｄは、脚部本体２２０ｃと同じものである。前述の通り、上側直線部２１１ｃ、２１１ｄの長さ寸法α２が上側直線部２１１ａ、２１１ｂの長さ寸法α１よりも小さくなっているため、図４に示すように、折り畳み位置に位置している状態で脚部本体２２０ａ、２２０ｂが脚部本体２２０ａ、２２０ｂに重なるようになっている。
【００２２】
第１の延長脚３００ａは、外形が脚部本体２２０ａよりも小さい角筒状のパイプである。第１の延長脚３００ａは脚部本体２２０ａ内に収納位置から延出位置にかけて出入り可能に収容されている。第１の延長脚３００ａは、図５に示すように、突起部３１０ａと、略Ｕ字状のバネ部材３２０ａとを有している。バネ部材３２０ａは第１の延長脚３００ａの上端部内に収容されている。突起部３１０ａはバネ部材３２０ａの先端部に設けられており且つ該バネ部材３２０ａに付勢されることにより前記上端部の外周面の図示しない孔から出没自在となっている。前記孔から突出した突起部３１０ａが脚部本体２２０ａの下端部に設けられた係止孔２２１ａに挿入されることにより、第１の延長脚３００ａが前記延出位置でロックされる。なお、第２、第３、第４の延長脚３００ｂ、３００ｃ、３００ｄは、第１の延長脚３００ａと同様に、脚部本体２２０ｂ、２２０ｃ、２２０ｄが出入り可能に収容されている。
【００２３】
第１の回転部材５００ａは、図１乃至図３に示すように、略Ｌ字状の部品であって、第１、第２の板部を有している。この第１の回転部材５００ａの第１の板部が、第１の桟部１００ａの一端部の内側面の上側直線部２１１ａの取り付け位置よりも外側部分に回転自在に取り付けられている。第２の回転部材５００ｂは第１の回転部材５００ａと同じ形状の部品である。第２の回転部材５００ｂの第１の板部は第２の桟部１００ｂの一端部の内側面の上側直線部２１１ｂの取り付け位置よりも外側部分に回転自在に取り付けられている。第１の回転部材５００ａの第２の板部と第２の回転部材５００ｂの第２の板部とが互いに逆方向に向いている。第３の回転部材５００ｃは第１の回転部材５００ａと同じ形状の部品である。第３の回転部材５００ｃの第１の板部が第１の桟部１００ａの他端部の内側面の上側直線部２１１ｃの取り付け位置よりも外側部分に回転自在に取り付けられている。第４の回転部材５００ｄは第１の回転部材５００ａと同じ形状の部品である。第４の回転部材５００ｄの第１の板部は第２の桟部１００ｂの他端部の内側面の上側直線部２１１ｄの取り付け位置よりも外側部分に回転自在に取り付けられている。第３の回転部材５００ｃの第２の板部と第４の回転部材５００ｄの第２の板部とが互いに逆方向に向いている。
【００２４】
第１、第２、第３、第４の固定部材６００ａ、６００ｂ、６００ｃ、６００ｄは、図１乃至図３に示すように、第１の回転部材５００ａと同じ形状の部品である。第１の固定部材６００ａの第１の板部が脚部本体２２０ａの下端部の内側面に取り付けられている。第２の固定部材６００ｂの第１の板部が脚部本体２２０ｂの下端部の内側面に取り付けられている。第１の固定部材６００ａの第２の板部と第２の固定部材６００ｂの第２の板部とが互いに逆方向に向いている。第３の固定部材６００ｃの第１の板部が脚部本体２２０ｃの下端部の内側面に取り付けられている。第４の固定部材６００ｄの第１の板部が脚部本体２２０ｄの下端部の内側面に取り付けられている。第３の固定部材６００ｃの第２の板部と第４の固定部材６００ｄの第２の板部とが互いに逆方向に向いている。
【００２５】
第１、第２の補強フレーム４００ａ、４００ｂは平板状のパイプであって、Ｘ字状に連結され開閉自在になっている。第３、第４の補強フレーム４００ｃ、４００ｄも平板状のパイプであって、Ｘ字状に連結され開閉自在になっている。図３（ａ）に示すように、第１の補強フレーム４００ａの上端部は第１の回転部材５００ａの第２の板部に回動自在に取り付けられている。第１の補強フレーム４００ａの下端部は第２の固定部材６００ｂの第２の板部に取り付けられている。第２の補強フレーム４００ｂの上端部は第２の回転部材５００ｂの第２の板部に回動自在に取り付けられている。第２の補強フレーム４００ｂの下端部は第１の固定部材６００ｂの第２の板部に取り付けられている。図３（ｂ）に示すように、第３の補強フレーム４００ｃの上端部は第３の回転部材５００ｃの第２の板部に回動自在に取り付けられている。第３の補強フレーム４００ｃの下端部は第４の固定部材６００ｄの第２の板部に取り付けられている。第４の補強フレーム４００ｄの上端部は第４の回転部材５００ｄの第２の板部に回動自在に取り付けられている。第４の補強フレーム４００ｄの下端部は第３の固定部材６００ｃの第２の板部に取り付けられている。
【００２６】
第１の連結部材７００ａは、一対のパイプ７１０ａ、７２０ａと、パイプ７１０ａ、７２０ａの内側の端部同士を回動自在に連結する連結部７３０ａとを有している。パイプ７１０ａの外側の端部（第１の連結部材７００ａの長さ方向の一端部）は第１の桟部１００ａの一端部の上面に回転自在に取り付けられている。パイプ７２０ａの外側の端部（第１の連結部材７００ａの長さ方向の他端部）は第２の桟部１００ｂの一端部の上面に回転自在に取り付けられている。このため、パイプ７１０ａ、７２０ａは、図１に示す直線状態から図４に示すように連結部７３０ａを中心として折り曲がり第１、第２の桟部１００ａ、１００ｂに沿うようになっている。すなわち、第１の連結部材７００ａが連結部７３０ａ（中間部）から二つ折り可能になっている。パイプ７１０ａ、７２０ａの外側の端部には、円柱状の係止凸部７１１ａ、７２１ａ（係止手段の雄側）が設けられている。
【００２７】
第２の連結部材７００ｂは第１の連結部材７００ａと同じ構成となっている。パイプ７１０ｂの外側の端部（第２の連結部材７００ｂの長さ方向の一端部）は第１の桟部１００ａの他端部の上面に回転自在に取り付けられている。パイプ７２０ｂの外側の端部（第２の連結部材７００ｂの長さ方向の他端部）は第２の桟部１００ｂの他端部の上面に回転自在に取り付けられている。このため、パイプ７１０ｂ、７２０ｂは、図１に示す直線状態から図４に示すように連結部７３０ｂを中心として折り曲がり第１、第２の桟部１００ａ、１００ｂに沿うようになっている。すなわち、第２の連結部材７００ｂも連結部７３０ｂ（中間部）から二つ折り可能になっている。パイプ７１０ｂ、７２０ｂの外側の端部には、円柱状の係止凸部７１１ｂ、７２１ｂ（係止手段の雄側）が設けられている。
【００２８】
天板Ｔは、図６に示すように、幅方向に並ぶ９枚の板体１０と、１８個の連結板２０とを有している。板体１０の長さ方向の両端部の両角部に切欠き部１１が設けられている。連結板２０は楕円形の板である。この連結板２０の一端部が板体１０の切欠き部１１に回動自在に取り付けられ、連結板２０の他端部が隣の板体１０の切欠き部１１に回動自在に取り付けられている。このように板体１０が連結板２０で幅方向に連結されることにより、天板Ｔが図６（ｂ）に示すように、蛇腹折り可能となっている。
【００２９】
第１の係止部材Ｒ１は、ベース部Ｒ１１と、このベース部Ｒ１１上に設けられた円筒状の係止部Ｒ１２とを有している。ベース部Ｒ１１は天板Ｔの一方の外側の板体１０の裏面に取り付けられている。係止部Ｒ１２の内径が折り畳み支持脚Ｌの係止凸部７２１ａ、７２１ｂの外径よりも若干大きくなっている。すなわち、係止部Ｒ１２に係止凸部７２１ａ、７２１ｂが挿入されることにより、係止部Ｒ１２が係止凸部７２１ａ、７２１ｂを係止するようになっている。
【００３０】
第２の係止部材Ｒ２は、ベース部Ｒ２１と、このベース部Ｒ２１上に設けられたハーフパイプ状の係止部Ｒ２２とを有している。ベース部Ｒ２１は天板Ｔの他方の外側の板体１０の裏面に取り付けられている。係止部Ｒ２２の内径は折り畳み支持脚Ｌの係止凸部７１１ａ、７１１ｂの外径よりも若干小さくなっている。すなわち、係止部Ｒ２２に係止凸部７１１ａ、７１１ｂに嵌合することにより、係止部Ｒ２２が係止凸部７１１ａ、７１１ｂを係止するようになっている。
【００３１】
以下、このような構成のテーブルの折り畳み手順について説明する。まず、天板Ｔの他方の外側の板体１０を上方に持ち上げて第２の係止部材Ｒ２の係止部Ｒ２２と折り畳み支持脚Ｌの係止凸部７１１ａ、７１１ｂとの係止を解除する。そして、第１の係止部材Ｒ１の係止部Ｒ１２から折り畳み支持脚Ｌの係止凸部７２１ａ、７２１ｂを抜く。これにより、天板Ｔが折り畳み支持脚Ｌから取り外される。その後、天板Ｔを蛇腹折りする。その一方で、第１、第２の連結部材７００ａ、７００ｂを連結部７３０ａ、７３０ｂを中心に折り曲げ、その状態で第１、第２の桟部１００ａ、１００ｂを把持し、互いに近づける。すると、第１、第２の連結部材７００ａ、７００ｂが連結部７３０ａ、７３０ｂを中心に二つ折れし、且つ第１、第２の補強フレーム４００ａ、４００ｂが閉じると共に、第３、第４の補強フレーム４００ｃ、４００ｂが閉じる。このとき、第１、第２の回転部材５００ａ、５００ｂが回転することにより、第１、第２の補強フレーム４００ａ、４００ｂが内側に傾斜し、第１、第２の脚部２００ａ、２００ｂが起立位置から折り畳み位置にかけて回動する。これにと共に、第３、第４の回転部材５００ｃ、５００ｄが回転することにより、第３、第４の補強フレーム４００ｃ、４００ｄが内側に傾斜し、第３、第４の脚部２００ｃ、２００ｄが起立位置から折り畳み位置にかけて回動する。このようにして折り畳み支持脚Ｌを折り畳む。
【００３２】
以下、このように折り畳まれたテーブルを組み立てる手順について説明する。まず、第１、第２の桟部１００ａ、１００ｂを把持し、互いに離間させる。すると、第１、第２の連結部材７００ａ、７００ｂが展開し、第１、第２の補強フレーム４００ａ、４００ｂが開くと共に、第３、第４の補強フレーム４００ｃ、４００ｂが開く。このとき、第１、第２の回転部材５００ａ、５００ｂが回転することにより、第１、第２の補強フレーム４００ａ、４００ｂが外側に移動し、第１、第２の脚部２００ａ、２００ｂが折り畳み位置から起立位置にかけて回動する。これにと共に、第３、第４の回転部材５００ｃ、５００ｄが回転することにより、第３、第４の補強フレーム４００ｃ、４００ｄが外側に移動し、第３、第４の脚部２００ｃ、２００ｄが折り畳み位置から起立位置にかけて回動する。その後、第１、第２の連結部材７００ａ、７００ｂの連結部７３０ａ、７３０ｂを外側に押圧し、該第１、第２の連結部材７００ａ、７００ｂを直線状態とする。このようにして折り畳み支持脚Ｌが展開される。その後、天板Ｔを展開し、第１の係止部材Ｒ１の係止部Ｒ１２に折り畳み支持脚Ｌの係止凸部７２１ａ、７２１ｂを挿入する。そして、第２の係止部材Ｒ２の係止部Ｒ２２の先端部の間に折り畳み支持脚Ｌの係止凸部７１１ａ、７１１ｂを押し込み、該係止部Ｒ２２に係止凸部７１１ａ、７１１ｂを嵌合させる。これにより、天板Ｔが折り畳み支持脚Ｌに取り付けられる。
【００３３】
このようなテーブルによる場合、第１、第２の桟部１００ａ、１００ｂを近づけるだけで、折り畳み支持脚Ｌを簡単に折り畳むことができ、第１、第２の桟部１００ａ、１００ｂを離間させるだけで、折り畳み支持脚Ｌを簡単に展開することができる。また、折り畳んだ状態で、折り畳み支持脚Ｌは、別体となるパーツがなく、天板Ｔを蛇腹折りすることができることから、本テーブルは可搬性に優れている。しかも、第１、第２、第３、第４の脚部２００ａ、２００ｂ、２００ｃ、２００ｄの脚部本体２２０ａ、２２０ｂ、２２０ｃ、２２０ｄが起立位置から折り畳み位置にかけて回動するようになっていることから、脚部本体２２０ａ、２２０ｂ、２２０ｃ、２２０ｄから第１、第２、第３、第４の延長脚３００ａ、３００ｂ、３００ｃ、３００ｄを延出させたとしても、第１、第２、第３、第４の延長脚３００ａ、３００ｂ、３００ｃ、３００ｄの間隔が大型化するのを抑止することができる。
【００３４】
なお、上述したテーブルは、上記実施の形態に限定されるものではなく、特許請求の範囲の記載の範囲において任意に設計変更することが可能である。以下、詳しく説明する。
【００３５】
上記実施の形態では、第１の補強フレーム４００ａの上端部が第１の桟部１００ａの内側面に回転自在に取り付けられた第１の回転部材５００ａの第２の板部に回動自在に取り付けられ、第２の補強フレーム４００ｂの上端部が第２の桟部１００ｂの内側面に回転自在に取り付けられた第２の回転部材５００ｂの第２の板部に回動自在に取り付けられ、第３の補強フレーム４００ｃの上端部が第１の桟部１００ａの内側面に回転自在に取り付けられた第３の回転部材５００ｃの第２の板部に回動自在に取り付けられ、第４の補強フレーム４００ｄの上端部が第２の桟部１００ｂの内側面に回転自在に取り付けられた第４の回転部材５００ｄの第２の板部に回動自在に取り付けられているとしたが、これに限定されるものではない。図８に示すように、第１の補強フレーム４００ａの上端部を第１の脚部２００ａの上端部に回動自在に取り付け、第２の補強フレーム４００ｂの上端部を第２の脚部２００ｂの上端部に回動自在に取り付け、第３の補強フレーム４００ｃの上端部を第３の脚部２００ｃの上端部に回動自在に取り付け、第４の補強フレーム４００ｄの上端部を第４の脚部２００ｄの上端部に回動自在に取り付けることができる。この場合、第１、第２、第３、第４の回転部材５００ａ、５００ｂ、５００ｃ、５００ｄを省略することができる。また、第１、第２、第３、第４の固定部材６００ａ、６００ｂ、６００ｃ、６００ｄを介して第１、第２、第３、第４の補強フレーム４００ａ、４００ｂ、４００ｃ、４００ｄの上端部を第１、第２、第３、第４の脚部２００ａ、２００ｂ、２００ｃ、２００ｄの上端部に取り付けるようにしても構わない。
【００３６】
また、第１、第２、第３、第４の固定部材６００ａ、６００ｂ、６００ｃ、６００ｄは省略することができる。この場合、第１、第２、第３、第４の補強フレーム４００ａ、４００ｂ、４００ｃ、４００ｄの下端部を第１、第２、第３、第４の脚部２００ａ、２００ｂ、２００ｃ、２００ｄの下端部に直接回動自在に取り付ければ良い。この点については図８に示す例の場合も同様に適応することができる。
【００３７】
また、上記実施の形態では、第１、第２、第３、第４の回転部材５００ａ、５００ｂ、５００ｃ、５００ｄ及び第１、第２、第３、第４の固定部材６００ａ、６００ｂ、６００ｃ、６００ｄはＬ字状の部品であるとしたが、これに限定されるものではない。前者については、桟部の内側面に回転自在に設けられ且つ補強フレームの上端部が回動自在に取り付け得る限り任意に設計変更することが可能である。後者については、脚部に取り付けられ、補強フレームの下端部が回動自在に取り付け得るものである限り任意に設計変更することが可能である。
【００３８】
第１、第２の連結部材７００ａ、７００ｂは省略することができる。また、第１、第２の連結部材７００ａ、７００ｂは、パイプ７１０ａ、７２０ａ及び連結部７３０ａを有する構成であるとしたが、中間部で二つ折り可能な構成となっている限り、任意に設計変更することが可能である。例えば、パイプ７１０ａ、７２０ａの内側の端部同士をピン等で回動自在に連結するようにしても良い。また、パイプ７１０ａ、７２０ａに代えて板材等を使用することが可能である。
【００３９】
第１、第２、第３、第４の脚部２００ａ、２００ｂ、２００ｃ、２００ｄは、桟部に該第１、第２の桟部に沿う折り畳み位置から該桟部に対して起立する起立位置にかけて回動自在に設けられている限り任意に設計変更することが可能である。また、上記実施の形態では、上側直線部２１１ｃ、２１１ｄの長さ寸法α２が上側直線部２１１ａ、２１１ｂの長さ寸法α１よりも小さくなっているとしたが、α１とα２とが同じ長さとすることも可能である。
【００４０】
第１、第２、第３、第４の延長脚３００ａ、３００ｂ、３００ｃ、３００ｄは省略可能である。また、上記実施の形態では、第１、第２、第３、第４の延長脚３００ａ、３００ｂ、３００ｃ、３００ｄは第１、第２、第３、第４の脚部２００ａ、２００ｂ、２００ｃ、２００ｄ内に出入り可能に収容されているとしたが、これに限定されるものではない。例えば、第１、第２、第３、第４の延長脚３００ａ、３００ｂ、３００ｃ、３００ｄは第１、第２、第３、第４の脚部２００ａ、２００ｂ、２００ｃ、２００ｄの下端部に着脱自在に取り付けるようにしても構わない。
【００４１】
また、天板Ｔは蛇腹折り可能な構成であるとしたが、折り畳み支持脚Ｌに載置可能なものである限り任意に設計変更することが可能である。
【００４２】
上記実施の形態では、天板Ｔを折り畳み支持脚Ｌに取り付ける係止手段として、第１、第２の係止部材Ｒ１、Ｒ２及び係止凸部７１１ａ、７１１ｂ、７２１ａ、７２１ｂを用いるとしたが、これに限定されるものではない。例えば、円柱体を天板Ｔの板体１０に設け、係止部Ｒ１２、Ｒ２２を第１、第２の連結部材７００ａ、７００ｂ又は第１、第２の桟部１００ａ、１００ｂに設けるようにしても良い。また、天板に設けた断面下向きＵ字状の係止部に第１、第２の連結部材又は第１、第２の桟部を嵌合させるようにしても構わない。
【００４３】
なお、上記実施の形態は、上記天板、折り畳み支持脚及び係止手段の各部を構成する素材、形状や寸法はその一例を説明したものであって、上記実施の形態と同様の機能を実現し得る限り任意に設計変更することが可能である。また、上記実施の形態では、折り畳み支持脚は、テーブルの脚部であるとして説明したが、これに限定されるものではない。例えば、ベンチの脚部やバーベキューコンロの脚部等にも用いることが可能である。
【符号の説明】
【００４４】
Ｌ・・・・・・折り畳み支持脚
１００ａ・・・第１の桟部
１００ｂ・・・第２の桟部
２００ａ・・・第１の脚部
２１０ａ・・回動部
２１１ａ・上側直線部（第１の桟部側の直線部）
２２０ａ・・脚部本体
２００ｂ・・・第２の脚部
２１０ｂ・・回動部
２１１ｂ・上側直線部（第２の桟部側の直線部）
２２０ｂ・・脚部本体
２００ｃ・・・第３の脚部
２１０ｃ・・回動部
２１１ｃ・上側直線部（第１の桟部側の直線部）
２２０ｃ・・脚部本体
２００ｄ・・・第４の脚部
２１０ｄ・・回動部
２１１ｄ・上側直線部（第２の桟部側の直線部）
２２０ｄ・・脚部本体
３００ａ・・・第１の延長脚
３００ｂ・・・第２の延長脚
３００ｃ・・・第３の延長脚
３００ｄ・・・第４の延長脚
４００ａ・・・第１の補強フレーム
４００ｂ・・・第２の補強フレーム
４００ｃ・・・第３の補強フレーム
４００ｄ・・・第４の補強フレーム
５００ａ・・・第１の回転部材
５００ｂ・・・第２の回転部材
５００ｃ・・・第３の回転部材
５００ｄ・・・第４の回転部材
６００ａ・・・第１の固定部材
６００ｂ・・・第２の固定部材
６００ｃ・・・第３の固定部材
６００ｄ・・・第４の固定部材
７００ａ・・・第１の連結部材
７１０ａ・・パイプ
７１１ａ・係止凸部（係止手段）
７２０ａ・・パイプ
７２１ａ・係止凸部（係止手段）
７３０ａ・・連結部
７００ｂ・・・第２の連結部材
７１０ｂ・・パイプ
７１１ｂ・係止凸部
７２０ｂ・・パイプ
７２１ｂ・係止凸部
７３０ｂ・・連結部
Ｔ・・・・・・天板
Ｒ１・・・・・第１の係止部材（係止手段）
Ｒ２・・・・・第２の係止部材（係止手段）
【図１】
2011041713.tif 000003
【図２】
2011041713.tif 000004
【図３】
2011041713.tif 000005
【図４】
2011041713.tif 000006
【図５】
2011041713.tif 000007
【図６】
2011041713.tif 000008
【図７】
2011041713.tif 000009
【図８】
2011041713.tif 000010